(57)【要約】      （修正有）【課題】接着剤等を使用せずに簡単に装着することができ、しかも、販促品が商品よりも嵩張るといった不都合を解消し、個々の商品を移動する際にも容易に行える紙パック用販促品ホルダーを提供する。【解決手段】屋根部Ｐ１の折り込まれている内側Ｐ２に係止する係止部を係止体１に設ける。該係止体１に連設され屋根型容器Ｐの胴部Ｐ３前面に販促品Ｑを展示するホルダー体２を設ける。係止体１は環体状を成し、屋根部Ｐ１の突出した部分を挿通する挿通孔３と、該挿通孔３の長手両端に設けられ、前記屋根部Ｐ１左右の折り込まれている内側に沿って折り込まれる係止部４とからなる。係止体１の係止部４に、前記挿通孔３の長手方向に略直交する折込み辺５を挿通孔３の長手端部に設ける。【選択図】図１
0003124932.tif 000002
【実用新案登録請求の範囲】
【請求項１】
紙パックの屋根型容器の屋根部に販促品を係止する紙パック用販促品ホルダーであって、屋根部左右の折り込まれている内側に係止する係止部を有する係止体と、該係止体に連設され屋根型容器の胴部前面に販促品を展示するホルダー体とから成ることを特徴とする紙パック用販促品ホルダー。
【請求項２】
前記係止体は環体状を成し、前記屋根部の突出した上部を挿通する挿通孔と、該挿通孔の長手両端に設けられ、前記屋根部左右の折り込まれている内側に沿って折り込まれる係止部とからなる請求項１記載の紙パック用販促品ホルダー。
【請求項３】
前記係止体の係止部に、前記挿通孔の長手方向に略直交する折込み辺を挿通孔の長手端部に設けると共に、該係止部を二つに折曲する山折り辺を設けた請求項２記載の紙パック用販促品ホルダー。
【請求項４】
前記係止体の係止部に、前記挿通孔の長手方向に略直交する折込み辺を、挿通孔の長手端部から係止体の厚み分だけ挿通孔よりに設けると共に、該係止部を二つに折曲する山折り辺を設けた請求項２記載の紙パック用販促品ホルダー。
【請求項５】
前記係止体は、略帯状を成した基板と、該基板の長手両端部に設けられ前記屋根部左右の折り込まれている内側に沿って折り込まれる係止部とからなり、該係止部は、屋根部内側の傾斜面に沿って重合するように設けられた請求項１記載の紙パック用販促品ホルダー。
【請求項６】
前記係止体と係止ホルダーとは、紙材若しくは合成樹脂材で一体に形成され、又は、紙材若しくは合成樹脂材で別体に形成された請求項１乃至５いずれか記載の紙パック用販促品ホルダー。
【請求項７】
前記係止ホルダーは、屋根型容器の胴部前面に重合するカード状又は袋状に設けられた請求項１又は６記載の紙パック用販促品ホルダー。
【考案の詳細な説明】
【技術分野】
【０００１】
本考案は、屋根型容器と称される紙パックの屋根部に、販売促進用の付属品（以下、販促品と称する）を装着するのに好適な紙パック用販促品ホルダーに関する。
【背景技術】
【０００２】
紙パックには種々の形態があり、その形状や販売メーカーにより名称は異なるが、主に牛乳容器として使用され、屋根型容器と称される紙パックは、たとえばテトラレックスなどといった名称で流通している。この屋根型容器は、略角筒状の胴体上部に、側面略三角形の屋根のような突起（以下、屋根部と称する）を有する形状が特徴になっている。
【０００３】
この紙パックに販促品を装着する手段として、特許文献１、２に記載の手段がある。特許文献１に記載のものは、紙パックの前面にカード状の販促品を貼着するものである。そのため、販促品の裏面には、両面テープが配されており、この両面テープで紙パックに販促品を接着させるものである。
【０００４】
また、特許文献２に、屋根型容器の屋根部上面に接着する小物入れが記載されている。この小物入れは、屋根型容器の傾斜した屋根部の片側上面に、プラスチック製の箱体を接着し、この箱体内部に販促品を収納するものである。
【０００５】
一方、缶容器の首部に直接係止する缶専用首掛け袋が特許文献３に記載されている。この缶専用首掛け袋は、缶の直径よりも若干小さい開孔を有するフィルム状の首掛け部と、販促品を収納した物品収納部とを一体に設けたもので、缶の首部に首掛け部を係止して使用する。
【特許文献１】実用新案登録第３０９４８８０号公報
【特許文献２】実用新案登録第３０５５５７８号公報
【特許文献３】特開２００４−１７５４１０号公報
【考案の開示】
【考案が解決しようとする課題】
【０００６】
ところが、特許文献１、２に記載の如く、両面テープや接着剤等を使用して販促品を接着しようとすると、紙パックに付着している埃や汚れ、結露、水滴などが接着力を弱めるので、接着した販促品が脱落するおそれがある。そのため、接着作業の前に紙パックの接着面を拭き取る作業が必要になり、販促品を装着するまでに多くの手間を要するものであった。また、両面テープ等を使用すると、両面テープに貼着している剥離紙を剥離して使用することになるため、使用済みの剥離紙の廃棄や処分にも多くの手間を要するものである。
【０００７】
更に、特許文献２のように、屋根型容器の屋根部上面に接着する小物入れでは、販促品を１個ずつ接着剤で接着する作業が極めて面倒な作業にならざるを得ない。しかも、接着された販促品が紙パックの搬送を妨げるおそれもある。すなわち、この種の屋根型容器を個々に搬送したり、展示したりするには、略角筒形状の胴部を持つよりも、上方に突出した屋根部のほうが持ち易いことが経験的に知られている。ところが、この屋根部の上面に小物入れが接着されていると、屋根部を把持する際の障害になるおそれがある。
【０００８】
一方、特許文献３の如く、缶の首部に係止する手段では、接着剤等を使用しないので、販促品を簡単に装着することはできるが、缶の首部に係止するので、販促品が缶よりも嵩張る不都合がある。すなわち、この種の販促品は、陳列棚に並べられた商品に装着することで、注目されるように設けられているが、販促品が商品よりも嵩張ると、陳列棚に並べる商品の数が少なくなる不都合が生じる。したがって、缶の首部等に販促品を直接係止すると、この販促品自体が缶の首部よりも広がって嵩張らざるを得ない。そのため、商品を陳列する際に、この販促品が障害になってしまう不都合がある。しかも、缶の直径よりも若干小さい開孔を有する首掛け部を利用するので、この首掛け部の材質は、伸縮性を有するフィルムに限定され、伸縮性のない紙材や合成樹脂材の使用はできない構造になっている。この結果、販促品の種類が限定されるといった不都合も生じる。
【０００９】
そこで本考案は、上述の課題を解消すべく案出されたもので、接着剤等を使用せずに簡単に装着することができ、しかも、販促品が商品よりも嵩張るといった不都合を解消し、販促品の種類を自由に選択することができる紙パック用販促品ホルダーの提供を目的とするものである。
【課題を解決するための手段】
【００１０】
本考案の第１の手段は、紙パックの屋根型容器Ｐの屋根部Ｐ１に販促品を係止する紙パック用販促品ホルダーであって、屋根部Ｐ１左右の折り込まれている内がわに係止する係止部を有する係止体１と、該係止体１に連設され屋根型容器Ｐの胴部Ｐ３前面に販促品Ｑを展示するホルダー体２とから構成する。
【００１１】
第２の手段は、前記係止体１は環体状を成し、前記屋根部Ｐ１の突出した上部を挿通する挿通孔３と、該挿通孔３の長手両端に設けられ、前記屋根部Ｐ１左右の折り込まれている内側Ｐ２に沿って折り込まれる係止部４とからなる。
【００１２】
第３の手段は、前記係止体１の係止部４に、前記挿通孔３の長手方向に略直交する折込み辺５を挿通孔３の長手端部に設けると共に、該係止部４を二つに折曲する山折り辺８を設けている。
【００１３】
第４の手段は、前記係止体１の係止部４に、前記挿通孔３の長手方向に略直交する折込み辺５を、挿通孔３の長手端部から係止体１の厚み分だけ挿通孔３よりに設けると共に、該係止部４を二つに折曲する山折り辺８を設けたものである。
【００１４】
第５の手段の前記係止体１は、略帯状を成した基板６と、該基板６の長手両端部に設けられ前記屋根部Ｐ１左右の折り込まれている内側Ｐ２に沿って折り込まれる係止部７とからなり、該係止部７は、屋根部Ｐ１内側Ｐ２の傾斜面に沿って重合するように設けられている。
【００１５】
第６の手段は、前記係止体１と係止ホルダー２とは、紙材若しくは合成樹脂材で一体に形成され、又は、紙材若しくは合成樹脂材で別体に形成されている。
【００１６】
第７の手段の前記係止ホルダー２は、屋根型容器Ｐの胴部Ｐ３前面に重合するカード状又は袋状に設けたことを課題解消のための手段とする。
【考案の効果】
【００１７】
請求項１により、屋根部Ｐ１左右の折り込まれている内がわに係止する係止部を有する係止体１と、該係止体１に連設され屋根型容器Ｐの胴部Ｐ３前面に販促品Ｑを展示するホルダー体２とにより、販促品を効果的に展示することができる。
【００１８】
請求項２により、係止体１の挿通孔３に屋根部Ｐ１の突出した部分を挿通することで、接着剤等を使用せずに簡単に装着することができる。しかも、係止体１の係止部４は、屋根部Ｐ１左右の折り込まれている内側Ｐ２に沿って折り込まれるものであるから、販促品が商品よりも嵩張るといった不都合も解消する。更に、挿通孔３に挿通した屋根部Ｐ１の突出部分に、賞味期限が記載されていることが多く、この賞味期限を隠さずに装着することができる。
【００１９】
請求項３、４により、係止部４に挿通孔３の長手方向に略直交する折込み辺５と係止部４を二つに折曲する山折り辺８とを設けているので、係止部４の折込み作業を容易にすることができる。このとき、請求項４の如く、折込み辺５を、挿通孔３の長手端部から係止体１の厚み分だけ挿通孔３よりに設けることで、仮に、厚みのある係止体１を使用しても折り込んだ係止部４が展示の妨げることはない。
【００２０】
請求項５によると、略帯状を成した基板６と、該基板６の長手両端部に設けられ前記屋根部Ｐ１左右の折り込まれている内側Ｐ２に沿って折り込まれる係止部７とからなり、屋根部Ｐ１左右の折り込まれている内側Ｐ２に沿って折り込まれる係止部７のみで、屋根部Ｐ１の傾斜面に沿った内側Ｐ２に重合するように設けられているので、装着作業を簡単に行うことができる。また、賞味期限を隠さずに装着することができる。
【００２１】
請求項６に記載の如く、係止体１と係止ホルダー２とは、紙材若しくは合成樹脂材で一体に形成され、又は別体に形成されるので、販促品Ｑの種類に応じて係止体１とホルダー体２とを最適な材質で形成することができる。この結果、販促品の種類を自由に選択することができるものとなる。
【００２２】
請求項７では、係止ホルダー２を、屋根型容器Ｐの胴部Ｐ３前面に重合するカード状又は袋状に設けることにより、販促品Ｑの種類に応じてホルダー体２を最適な形状や材質で形成することができる。しかも、ホルダー体２は、胴部Ｐ３前面に重合しているので、この状態で多数の屋根型容器Ｐを商品棚に陳列すると、ホルダー体２が横並び状態となる。この結果、棚全体がひとつの広告媒体になるなど、極めて有効な宣伝効果が得られる。
【００２３】
このように本考案によると、接着剤等を使用せずに簡単に装着することができ、しかも販促品が商品よりも嵩張るといった不都合を解消し、販促品の種類を自由に選択することができ、個々の商品を移動する際にも容易に行える等といった実用上有益な種々の効果を奏するものである。
【考案を実施するための最良の形態】
【００２４】
本考案の最良の形態は、屋根部Ｐ１左右の折り込まれている内がわに係止する係止部を有する係止体１と、該係止体１に連設され屋根型容器Ｐの胴部Ｐ３前面に販促品Ｑを展示するホルダー体２とを設ける。係止体１は環体状を成し、屋根部Ｐ１の突出した部分を挿通する挿通孔３と、該挿通孔３の長手両端に設けられ、前記屋根部Ｐ１左右の折り込まれている内側Ｐ２に沿って折り込まれる係止部４とからなる。係止体１の係止部４に、前記挿通孔３の長手方向に略直交する折込み辺５を挿通孔３の長手端部に設ける。係止体１と係止ホルダー２とは、紙材若しくは合成樹脂材で一体に形成され、又は別体に形成されている。係止ホルダー２は、屋根型容器Ｐの胴部Ｐ３前面に重合するカード状又は袋状に設けることで、当初の目的を達成するものである。
【実施例】
【００２５】
以下、図面を参照して本考案の実施例を詳細に説明する。本考案の基本構成は、係止体１とホルダー体２とからなり、屋根型容器Ｐの屋根部Ｐ１に係止体１を係止することで、ホルダー体２に販促品Ｑを展示するものである。
【００２６】
係止体１は、屋根部Ｐ１左右の折り込まれている内がわに係止する係止部を有している。一方、ホルダー体２は、該係止体１に連設され屋根型容器Ｐの胴部Ｐ３前面に販促品Ｑを展示するもので、該胴部Ｐ３前面に重合するカード状又は袋状又はこれらを組み合わせることなどで設けられる。
【００２７】
図示例のホルダー体２は、透明な袋の中に各種の販促品Ｑを収納して展示するものである。この他、ホルダー体２をカード状に形成し、このカードに例えば各種の占い等を記載した販促品Ｑや、カードをクーポン券等とする販促品Ｑなど、ホルダー体２による販促品Ｑの形態は任意に変更することができる。
【００２８】
図１乃至図４に示す係止体１は、略環体状を成している。この係止体１は、屋根部Ｐ１の突出した部分を挿通する挿通孔３と、該挿通孔３の長手両端に設けられ、前記屋根部Ｐ１左右の折り込まれている内側Ｐ２に沿って折り込まれる係止部４を有している。このような係止体１によると、係止部４に、挿通孔３の長手方向に略直交する折込み辺５を挿通孔３の長手端部に設けると共に、係止部４を二つに折曲する山折り辺８を設けている（図３参照）。この山折り辺８で係止部４を屈曲すると、屋根部Ｐ１の傾斜面に沿った内側Ｐ２に重合するものである。
【００２９】
このとき、係止体１の材質に厚紙を使用する場合には、この折込み辺５を挿通孔３の長手端部から係止体１の厚み分だけ挿通孔３よりに設けるのが望ましい（図４参照）。
【００３０】
図５に示す係止体１は、略帯状を成した基板６と、該基板６の長手両端部に設けられ前記屋根部Ｐ１左右の折り込まれている内側Ｐ２に沿って折り込まれる係止部７とを有している。この係止部７は、屋根部Ｐ１の傾斜面に沿った内側Ｐ２に重合するように設けられている。
【００３１】
すなわち、基板６と係止部７との間に設けた折込み辺５を介して左右一対の係止部７が設けられており、この折込み辺５を屈曲することで、係止部７が屋根部Ｐ１の折り込まれた内側Ｐ２に挿入される。更に係止部７には山折り辺８が設けられており、この山折り辺８で係止部７を屈曲することで、屋根部Ｐ１の傾斜面に沿った内側Ｐ２に重合するものになる。
【００３２】
これら係止体１と係止ホルダー２とは、紙材若しくは合成樹脂材で一体に形成する。又は係止体１と係止ホルダー２とを別体に形成することも可能であり、係止体１の材質や、ホルダー体２の形態などにより、任意な選択が可能である。
【００３３】
尚、係止体１及びホルダー体２の形状や連結構造、材質等は、実施例に限定されるものではなく、各部材の寸法やデザインなどと共に、本考案の要旨を変更しない範囲で任意に選択することができる。
【図面の簡単な説明】
【００３４】
【図１】本考案の一実施例を示す分解斜視図である。
【図２】本考案の使用時様態を示す斜視図である。
【図３】本考案の係止体の一実施例を示す平面図である。
【図４】本考案の係止体の他の実施例を示す平面図である。
【図５】本考案の係止体の他の実施例を示す平面図である。
【符号の説明】
【００３５】
Ｐ  屋根型容器
Ｐ１  屋根部
Ｐ２  内側
Ｐ３  胴部
Ｑ  販促品
１  係止体
２  ホルダー体
３  挿通孔
４  係止部
５  折込み辺
６  基板
７  係止部
８  山折り辺
【図１】
0003124932.tif 000003
【図２】
0003124932.tif 000004
【図３】
0003124932.tif 000005
【図４】
0003124932.tif 000006
【図５】
0003124932.tif 000007